(57)【要約】【課題】弁体に過大な力が作用した際に、弁体が、その外方に設けられた変形規制板に強く当衝しても、弁体が適時に確実に復帰するようにする。【解決手段】変形規制板６と吐出弁４との対向面の少なくともいずれか一方を、吐出弁４が変形規制板６に当接した際に、吐出弁４を、変形規制板６に付着することなく、適切に分離させうるような性状のものとする。【選択図】図１
2008088870.tif 000002
【特許請求の範囲】
【請求項１】
圧縮気体の吐出口の出口に設けられている吐出弁の外方に、吐出弁の変形もしくは変位を規制するための変形規制板を配設した吐出弁装置において、変形規制板と吐出弁との対向面の少なくともいずれか一方を、吐出弁が変形規制板に当接した際に、吐出弁を、変形規制板に付着することなく、適切に分離させうるような性状のものとしたことを特徴とする吐出弁装置。
【請求項２】
変形規制板または吐出弁の対向面の少なくともいずれか一方に、非接着性の緩衝層を形成したことを特徴とする請求項１記載の吐出弁装置。
【請求項３】
変形規制板を、やや軟質の非接着性材からなるものとしたことを特徴とする請求項１記載の吐出弁装置。
【請求項４】
変形規制板または吐出弁の対向面の少なくともいずれか一方に、多数の小突起（突条を含む）を設けたことを特徴とする請求項１〜３のいずれかに記載の吐出弁装置。
【請求項５】
変形規制板または吐出弁の対向面の少なくともいずれか一方に、多数の小凹孔（凹条を含む）を設けたことを特徴とする請求項１〜３のいずれかに記載の吐出弁装置。
【請求項６】
変形規制板を、通気性を有する材料からなるものとしたことを特徴とする請求項１〜５のいずれかに記載の吐出弁装置。
【請求項７】
変形規制板に、その厚さ方向の多数の通気孔を穿設してあることを特徴とする請求項１〜６のいずれかに記載の吐出弁装置。
【請求項８】
変形規制板を、網状体からなるものとしたことを特徴とする請求項１〜５のいずれかに記載の吐出弁装置。
【発明の詳細な説明】
【技術分野】
【０００１】
本発明は、気体圧縮機等における吐出弁装置に関する。
【背景技術】
【０００２】
気体圧縮機等において、ピストンを内挿したシリンダに設けた加圧気体吐出口の出口端に、例えば一端をシリンダに支持した帯状板弁、または中心部をシリンダに支持した円形板弁を設け、これらの板弁により、加圧気体吐出口を開閉させるようにしたものがある。
【０００３】
このような場合、板弁が過度に開いて、その閉止のタイミングが不適切となったり、板弁に過大な応力が作用して、その耐久性を損なったりするのを防止するために、板弁の外方に、予め所要に定めた間隔をもって、板弁の変形もしくは変位を規制するための変形規制板を設けることは、例えば特許文献１に記載されているように公知である。
【特許文献１】特開昭５８−１３１４８４号公報
【発明の開示】
【発明が解決しようとする課題】
【０００４】
しかし、このようなものにおいては、例えば吐出気体の圧力が過大となったとき、板弁が急激に大きく変形もしくは変位して、変形規制板に強く当衝し、変形規制板からの板弁の分離のタイミングが乱れることがある。
【０００５】
また、油分その他の異物が、一方もしくは双方の部材の対向面に存在する場合、また、双方の部材の対向面間が減圧状態となった場合、開いた板弁が変形規制板に吸着されて、タイミングよく変形規制板から分離して復帰できなくなることがある。
【０００６】
さらに、板弁が変形規制板に、繰返し強く当衝すると、騒音発生の原因ともなる。
【０００７】
このようなことは、弁体が板弁以外であって、変位することによって、吐出口を開閉させるようにした場合においても、同様である。
【０００８】
本発明は、気体圧縮機等において、圧縮気体の吐出口に設けられている帯状または円形等の板弁、もしくはその他の型式の弁体の外方に、所要の間隔をもって、弁体の変形規制板が設けられている場合において、弁体に過大な力が作用したり、弁体と変形規制板との間に、油その他の異物が存在している場合においても、弁体が、適時に確実に、変形規制板から離れて復帰し、閉弁するようにした吐出弁装置を得ることを目的としている。
【課題を解決するための手段】
【０００９】
上記目的は、本発明によると、特許請求の範囲に記載されている次のような手段によって解決される。
（１）圧縮気体の吐出口の出口に設けられている吐出弁の外方に、吐出弁の変形もしくは変位を規制するための変形規制板を配設した吐出弁装置において、変形規制板と吐出弁との対向面の少なくともいずれか一方を、吐出弁が変形規制板に当接した際に、吐出弁を、変形規制板に付着することなく、適切に分離させうるような性状のものとする。
【００１０】
（２）上記（１）項において、変形規制板または吐出弁の対向面の少なくともいずれか一方に、非接着性の緩衝層を形成する。
【００１１】
（３）上記（１）項において、変形規制板を、やや軟質の非接着性材からなるものとする。
【００１２】
（４）上記（１）〜（３）項のいずれかにおいて、変形規制板または吐出弁の対向面の少なくともいずれか一方に、多数の小突起（突条を含む）を設ける。
【００１３】
（５）上記（１）〜（３）項のいずれかにおいて、変形規制板または吐出弁の対向面の少なくともいずれか一方に、多数の小凹孔（凹条を含む）を設ける。
【００１４】
（６）上記（１）〜（５）項のいずれかにおいて、変形規制板を、通気性を有する材料からなるものとする。
【００１５】
（７）上記（１）〜（６）項のいずれかにおいて、変形規制板に、その厚さ方向の多数の通気孔を穿設する。
【００１６】
（８）上記（１）〜（５）項のいずれかにおいて、変形規制板を、網状体からなるものとする。
【発明の効果】
【００１７】
請求項１記載の発明：−加圧気体による吐出弁の開度は、変形規制板によって規制され、また開いた吐出弁が、変形規制板に強く当衝しても、吐出弁が変形規制板に付着して、その復帰のタイミングが乱れることはない。
【００１８】
請求項２記載の発明：−緩衝層が存在するため、吐出弁が変形規制板に当衝した際の衝撃は小さく、吐出弁の耐久性は大となり、かつ騒音の発生も小さい。また、緩衝層の材質や厚さを選択して、運転状態に最も適した作用をさせることができる。
【００１９】
請求項３記載の発明：−変形規制板自体の材料を選定することにより、所望の目的を適切に果たしうるようにすることができ、かつ変形規制板の製作を、簡単に行うことができる。
【００２０】
請求項４記載の発明：−吐出弁が変形規制板に密着することはないので、その分離は、タイミングよく適切に行われる。
【００２１】
請求項５記載の発明：−前項と同様の効果が得られる。
【００２２】
請求項６記載の発明：−吐出弁が、変形規制板に強く当接しても、減圧作用により吐出弁が変形規制板に吸着されることはない。
【００２３】
請求項７記載の発明：−吐出弁が変形規制板に当接した際、両者間が減圧されて、吐出弁が変形規制板に吸着されることはない。
【００２４】
請求項８記載の発明：−前項と同様の効果が発揮される。
【発明を実施するための最良の形態】
【００２５】
図１は、請求項１および２に記載の吐出弁装置を備える気体圧縮機の要部を示す縦断面図である。
【００２６】
適宜の動力をもって、往復運動させられる図示しないピストンが嵌合されているシリンダ１の上面要所に、圧縮気体の吐出口２が設けられている。
【００２７】
シリンダ１における吐出口２の両側には水平のフランジ３，３が突設され、吐出孔２の側方において、フランジ３には、帯板状の吐出弁４の基部が、支持軸５をもって止着されている。
【００２８】
また、支持軸５の上部には、適宜の間隔をあけて、吐出弁４の直上に位置する水平の剛質の変形規制板６の基部が取付けられている。
【００２９】
変形規制板６の下面には、吐出弁４と対向するやや軟質の非接着性の緩衝層７が重合して形成されている。
【００３０】
図２は、請求項３記載の発明の一実施形態を示し、図１におけると同様かつ同配置の変形規制板８自体を、やや軟質の非接着性材からなるものとしてある。
【００３１】
図３は、請求項４に記載の発明の一実施形態を示し、図１，図２におけるのと同様、かつ同配置の変形規制板９の下面における吐出弁４と対応する個所には、多数の小突起１０が設けられている。小突起１０を、多数の平行突条もしくは輪状突条とすることもある。
【００３２】
図４は、請求項５に記載の発明の一実施形態を示し、変形規制板１１の下面における吐出弁４と対応する個所に、多数の小凹孔（または小凹条）１２を設けてある。
【００３３】
図５は、請求項６に記載の発明の一実施形態を示し、変形規制板１３は、通気性を有する材料、例えば多孔質の材料からなっている。
【００３４】
図６は、請求項７に記載の発明の実施形態を示し、変形規制板１４自体は非通気性であるが、厚さ方向の多数の通気孔１５が穿設されている。
【００３５】
図７は、請求項８に記載の発明の一実施形態を示し、変形規制板１６は網板からなっている。
【図面の簡単な説明】
【００３６】
【図１】本発明の一実施形態である吐出弁装置を備える気体圧縮機の要部を示す縦断面図である。
【図２】本発明の他の実施形態を示す要部の縦断面図である。
【図３】本発明の他の実施形態を示す要部の縦断面図である。
【図４】本発明の他の実施形態を示す要部の縦断面図である。
【図５】本発明の他の実施形態を示す要部の縦断面図である。
【図６】本発明の他の実施形態を示す要部の縦断面図である。
【図７】本発明の他の実施形態を示す要部の縦断面図である。
【符号の説明】
【００３７】
１  シリンダ
２  吐出口
３  フランジ
４  吐出弁
５  支持軸
６  変形規制板
７  緩衝層
８  変形規制板
９  変形規制板
１０  小突起
１１  変形規制板
１２  小凹孔（または小凹条）
１３  変形規制板
１４  変形規制板
１５  通気孔
１６  変形規制板
【図１】
2008088870.tif 000003
【図２】
2008088870.tif 000004
【図３】
2008088870.tif 000005
【図４】
2008088870.tif 000006
【図５】
2008088870.tif 000007
【図６】
2008088870.tif 000008
【図７】
2008088870.tif 000009